(57)【特許請求の範囲】
【請求項１】
リスト装着装置の表示盤上に経過時間を表示する経過時間表示方法であって、
前記リスト装着装置が、前記表示盤と、経過時間を表示する回転可能な少なくとも１つの表示針と、所定時刻における経過時間を表示する回転可能な秒針と、を備えており、
前記少なくとも１つの表示針は、開始及び停止を含む回転が可能であり、第１のモードとして、前記秒針は、前記表示盤の表面で、所定速度である第１の速度で回転し、
前記少なくとも１つの表示針が、回転を開始する工程と、
前記秒針及び前記少なくとも１つの表示針の位置が一致するまで、前記秒針の回転を停止する工程と、
前記秒針及び前記少なくとも１つの表示針が、共に前記第１の速度で回転することにより、あたかも１つの指針が存在し、それが回転するかのごとく見えるように、前記秒針が回転を開始する工程と、
前記少なくとも１つの表示針が、回転を停止する工程と、
前記秒針が初めに停止せず回転を継続したと仮定した場合にあるであろう所定位置に、前記秒針が到達するまで、前記第１の速度よりも速い速度で、前記秒針が回転する工程と、
前記秒針を、前記第１の速度で、前記表示盤の表面で、回転させる工程と、
を含むことを特徴とする経過時間表示方法。
【請求項２】
前記第１のモードが、通常の駆動モードであり、前記少なくとも１つの表示針は、前記リスト装着装置が、クロノグラフモードに移行した場合に駆動開始され、前記秒針が、所定時刻における経過秒を表示し、かつ、前記第１の速度が、時刻（ＴＯＤ）における秒針回転速度であることを特徴とする請求項１に記載の経過時間表示方法。
【請求項３】
経過時間を表示盤上に表示するリスト装着装置であって、
経過時間を表示する回転可能な少なくとも１つの表示針と、
所定時刻における経過時間を表示する回転可能な秒針と、
前記少なくとも１つの表示針の回転を開始及び停止させるスイッチング装置と、
前記スイッチング装置と動作が連動し、請求項１に記載された経過時間表示方法を実行するコントローラと、
を含むことを特徴とする、リスト装着装置。
【請求項４】
リスト装着装置の表示盤上に経過時間を表示する経過時間表示方法であって、
前記リスト装着装置が、前記表示盤と、経過時間を表示する回転可能な少なくとも１つの表示針と、所定時刻における経過時間を表示する回転可能な秒針と、を備えており、
前記少なくとも１つの表示針は、開始及び停止を含む回転が可能であり、第１のモードとして、前記秒針は、前記表示盤の表面で、所定速度である第１の速度で回転し、
前記少なくとも１つの表示針が、回転を開始する工程と、
前記秒針の回転を、前記秒針及び前記少なくとも１つの表示針の位置が一致するまで、前記第１の速度よりも速い速度に加速して進め、その後、前記秒針の回転速度を、前記第１の速度に戻す工程と、
前記秒針及び前記少なくとも１つの表示針が、共に前記第１の速度で回転し、あたかも１つの指針が存在し、それが回転するかのごとく見えるように、前記秒針の回転を継続する工程と、
前記少なくとも１つの表示針の回転を停止する工程と、
前記秒針が初めに加速されず回転を継続したと仮定した場合にあるであろう所定位置と、前記秒針の位置が一致するまで、前記秒針の回転を停止する工程と、
前記秒針を、前記第１の速度で、前記表示盤の表面で、回転させる工程と、
を含むことを特徴とする、経過時間表示方法。
【請求項５】
前記第１のモードが、通常の駆動モードであり、前記少なくとも１つの表示針は、前記リスト装着装置が、クロノグラフモードに移行した場合に、駆動開始され、前記秒針が、所定時刻における経過秒を表示し、かつ、前記第１の速度が、時刻における秒針回転速度であることを特徴とする請求項４に記載の経過時間表示方法。
【請求項６】
経過時間を表示盤上に表示するリスト装着装置であって、
経過時間を表示する回転可能な少なくとも１つの表示針と、
所定時刻における経過秒を表示する回転可能な秒針と、
前記少なくとも１つの表示針の回転を、開始及び停止させるスイッチング装置と、
前記スイッチング装置及び動作が連動し、請求項４に記載された経過時間表示方法を実行するためのコントローラと、
を含むことを特徴とする、リスト装着装置。
【請求項７】
経過時間を表示盤上に表示するリスト装着示装置であって、
経過時間を表示する回転可能な少なくとも１つの表示針と、
所定時刻における経過秒を表示し、第１のモードとして、時刻における秒針回転速度で回転する回転可能な秒針と、
前記少なくとも１つの表示針の回転を開始及び停止させるスイッチング装置と、
前記スイッチング装置と動作が連動するコントローラと、を備えており、
当該コントローラが、前記少なくとも１つの表示針の回転を開始する機能と、
前記秒針を、前記秒針及び前記少なくとも１つの表示針の位置が一致するまで、停止する機能と、
前記秒針及び前記少なくとも１つの表示針が共に、前記時刻における秒針回転速度で回転し、あたかも１つの指針が存在し、それが回転するかのごとく見えるように、前記秒針の回転を開始する機能と、
前記少なくとも１つの表示針の回転を停止する機能と、
前記秒針が初めに停止せず回転を継続したと仮定した場合にあるであろう所定位置に、前記秒針が到達するまで、前記時刻における秒針回転速度よりも速い速度で、前記秒針を回転させる機能と、
前記秒針を、前記時刻における秒針回転速度で、前記表示盤の表面で回転させる機能と、を有することを特徴とするリスト装着装置。
【請求項８】
経過時間を表示盤上に表示するリスト装着装置であって、
経過時間を表示する回転可能な少なくとも１つの表示針と、
所定時刻における経過秒を表示し、第１のモードとして、時刻における秒針回転速度で回転する回転可能な秒針と、
前記少なくとも１つの表示針の回転を開始及び停止させるスイッチング装置と、
前記スイッチング装置と動作が連動するコントローラと、を備えており、
当該コントローラが、前記少なくとも１つの表示針の回転を開始する機能と、
前記秒針の回転を、前記少なくとも１つの表示針及び前記秒針の位置が一致するまで、前記時刻における秒針回転速度よりも速い速度に加速して進めた後、前記秒針の回転速度を、前記時刻における秒針回転速度に戻す機能と、
前記秒針及び前記少なくとも１つの表示針を共に前記第１の速度で回転させ、あたかも１つの指針が存在し、それが回転するかのごとく見えるように、前記秒針の回転を継続させる機能と、
前記少なくとも１つの表示針の回転を停止する機能と、
前記秒針が初めに加速されず回転を継続したと仮定した場合にあるであろう所定位置と、前記秒針の位置が一致するまで、前記秒針の回転を停止する機能と、
前記秒針を、前記時刻における秒針回転速度で、前記表示盤の表面で回転させる機能と、
を有することを特徴とするリスト装着装置。
【請求項９】
リスト装着装置の表示盤上に経過時間を表示する経過時間表示方法であって、
前記リスト装着装置が、前記表示盤と、経過時間を表示する回転可能な少なくとも１つの表示針と、所定時刻における経過時間を表示する回転可能な秒針と、を備え、前記少なくとも１つの表示針は、開始及び停止を含む回転が可能であり、第１のモードとして、前記秒針は、前記表示盤の表面で、所定速度である第１の速度で回転し、
前記少なくとも１つの表示針の回転を開始する工程と、
次いで、以下ａ）又はｂ）のいずれかの工程と、
ａ）前記秒針の回転を、前記秒針及び前記少なくとも１つの表示針の位置が一致するまで、停止する工程と、
前記秒針の回転を、前記秒針及び前記少なくとも１つの表示針が、前記第１の速度で共に回転するように、開始する工程と、
前記少なくとも１つの表示針の回転を停止する工程と、
前記秒針が初めに停止せず回転を継続したと仮定した場合にあるであろう所定位置に、前記秒針が到達するまで、前記第１の速度よりも速い速度で、前記秒針を回転させる工程
ｂ）前記秒針の回転を、前記秒針及び前記少なくとも１つの表示針の位置が一致するまで、前記第１の速度よりも速い速度に加速して進めた後、前記秒針を前記第１の回転速度に戻す工程と、
前記秒針よび前記少なくとも１つの表示針が、共に前記第１の速度で回転するように、前記秒針の回転を、継続する工程と、
前記少なくとも１つの表示針の回転を停止する工程と、
前記秒針が初めに加速されず回転を継続したと仮定した場合にあるであろう所定位置と、前記秒針の位置が一致するまで、前記秒針の回転を停止する工程
前記秒針を、前記第１の速度で、前記表示盤の表面で回転させる工程と、を含み、
前記秒針及び前記少なくとも１つの表示針が共に前記第１の速度で回転している場合において、あたかも１つの指針が存在し、それが回転するかのごとく見えるように回転させることを特徴とする、経過時間表示方法。
【請求項１０】
経過時間を表示盤上に表示するリスト装着装置であって、
経過時間を表示する回転可能な少なくとも１つの表示針と、
所定時刻における経過時間を表示し、第１のモードとして、時刻における秒針回転速度で回転する回転可能な秒針と、
前記少なくとも１つの表示針の回転を開始及び停止させるスイッチング装置と、
前記スイッチング装置と動作が連動するコントローラと、を備えており、
当該コントローラが、前記少なくとも１つの表示針の回転を開始する機能と、
以下ａ）又はｂ）のいずれかの機能を有し、
ａ）前記秒針の回転を、前記秒針及び前記少なくとも１つの表示針の位置が一致するまで、停止する機能と、
前記秒針及び前記少なくとも１つの表示針が、前記時刻における秒針回転速度で共に回転するように、前記秒針の回転を開始する機能と、
前記少なくとも１つの表示針の回転を停止する機能と、
前記秒針が初めに停止せず回転を継続したと仮定した場合にあるであろう所定位置に、前記秒針が到達するまで、前記時刻における秒針回転速度よりも速い速度で、前記秒針を回転させる機能
ｂ）前記秒針の回転を、前記秒針及び前記少なくとも１つの表示針の位置が一致するまで、前記時刻における秒針回転速度よりも速い速度に加速して進めた後、前記秒針を前記時刻における秒針回転速度に戻す機能と、
前記秒針及び前記少なくとも１つの表示針が、共に前記時刻における秒針回転速度で回転するように、前記秒針の回転を継続する機能と、
前記少なくとも１つの表示針の回転を停止する機能と、
前記秒針が初めに加速されず回転を継続したと仮定した場合にあるであろう所定位置と、前記秒針の位置が一致するまで、前記秒針の回転を停止させる機能
更に、前記コントローラが、前記秒針を、前記時刻における秒針回転速度で表示盤の表面で回転させ、かつ、回転する１つの指針のみが存在するように見えるように、前記秒針及び前記少なくとも１つの表示針を、所定速度である第１の回転速度で共に回転させる機能を有することを特徴とする、リスト装着装置。
【発明の詳細な説明】
【技術分野】
【０００１】
本発明は、表示盤上での経過時間の読み取りを容易にするリスト装着装置及びそれを用いた経過時間表示方法に関する。
特に、一例であるが、クロノグラフのような構造を有するリスト装着装置、及び、リスト装着装置が、回転可能な少なくとも１つの表示針、すなわち、２以上の表示針（例えば、クロノ針及び秒針）を有する場合の経過時間の表示、及びその読み取りに関する経過時間表示方法に関する。
とりわけ、本発明は、回転可能な２以上の表示針（例えば、クロノ針及び秒針）が存在する場合における、表示盤上における経過時間表示と読み取りの際に発生しうる、誤認（間違い）や混乱を減少させるリスト装着装置及び経過時間表示方法に関する発明である。
【背景技術】
【０００２】
回転可能な２以上の表示針を有し、通常の動作によって、秒やそれ以外の経過時間を表示する時計が知られている。
たとえば、表示盤の中心に載せられた秒針であり、所定時刻（ｔｉｍｅ  ｏｆ  ｄａｙ）（以下、ＴＯＤと称する場合がある。）における秒を示す表示針と、表示盤の中心に載せられた大きな表示針であり、経過した秒（たとえば、クロノ秒と称する。）を示すクロノ針の両方を有する時計は、クロノグラフ時計として、良く知られている。
【０００３】
このように、従来の時計は、クロノ秒を表示する表示盤の中心に載せられた大きな表示針（以下、何ら限定するものではないが、便宜上、クロノ針と称する。）が駆動開始され、実行（たとえば、回転）しているときは、クロノ針及び時刻表示に関する秒針は、それぞれ所定の角度関係を保ち、共に同じ速度で回転する。
したがって、秒針及び／又はクロノ針の形状や大きさといったデザインによっては、使用者にとって、秒針とクロノ針の区別が不明確になる場合がある。
そして、表示されたクロノ秒（たとえば、経過時間であって、クロノ時間と称される場合がある。）と、所定時刻における秒を読み取る際の誤認及び／又は混乱につながる可能性が生じる。
【０００４】
たとえば、従来技術として、複数の表示針が重なった例が、特許文献１〜特許文献５に記載されており、それぞれ、時計における指針の重なりが示されている。
【先行技術文献】
【特許文献】
【０００５】
【特許文献１】米国特許第５，１２２，９９５号公報
【特許文献２】米国特許第６，８４２，４０３号公報
【特許文献３】米国特許第７，１３０，２４７号公報
【特許文献４】米国特許第７，４４５，３７４号公報
【特許文献５】米国特許第８，４３２，７７２号公報
【発明の概要】
【発明が解決しようとする課題】
【０００６】
しかしながら、現行技術水準に対する更なる改善は望ましくもあり、かつ、達成可能である。
たとえば、構造と、それに関連する経過時間表示方法であって、クロノ針の駆動開始後に、秒針の加速及び／又は停止がなされ、その後、たとえば、クロノ針の停止後に、秒針が、正しく合った位置に至るまでに、更なる加速又は停止が行われる方法は、たとえば時計のようなリスト装着装置における経過時間の読み取りや解釈における誤認、間違い及び／又は混同する可能性を更に減少させると考えられる。
したがって、そのような構造や経過時間表示方法であって、たとえば時計のような進歩したリスト装着装置に関する内容は、本発明に従い、本明細書中に示される。
【０００７】
こうして、本発明は、従来技術における問題点を克服することを課題とするものである。
【０００８】
したがって、たとえば時計のようなリスト装着装置における経過時間の読み取りや解釈における誤認、間違い及び／又は混同が発生する可能性の少ないリスト装着装置を提供することが本発明の目的である。
【０００９】
そして、本発明の更なる目的及び本発明により得られる利点等は、図面及び本明細書を考慮することによって、更に明らかになる。
【００１０】
また、本発明は、以下に記載した構造、図面及び明細書本文で例示する構造、要素の組み合わせ、部品の配置及び一連の手順の特徴を備えているが、基本的に、本発明の技術的事項は、少なくとも請求の範囲に示されるものとする。
【００１１】
本発明の好ましい第１の実施形態は、リスト装着装置の表示盤上に経過時間を表示する経過時間表示方法に関するものである。
すなわち、リスト装着装置が、表示盤と、経過時間を表示する回転可能な少なくとも１つの表示針（第１の表示針と称する場合がある。）と、所定時刻（ＴＯＤ）における経過時間を表示する回転可能な秒針（第２の表示針と称する場合がある。）と、を備えており、少なくとも１つの表示針（第１の表示針）は、開始及び停止を含む回転が可能であり、第１のモードとして、秒針（第２の表示針）は、表示盤の表面で、所定速度である第１の速度で回転し、少なくとも１つの表示針（第１の表示針）の回転を開始させる工程と、秒針（第２の表示針）及び少なくとも１つの表示針（第１の表示針）の位置が一致するまで、秒針（第２の表示針）の回転を停止する工程を含んでいる。
また、秒針（第２の表示針）及び少なくとも１つの表示針（第１の表示針）が、共に、第１の速度で回転することにより、あたかも１つの表示針が存在し、それが回転するかのごとく見えるように、秒針（第２の表示針）が回転を開始する工程を含んでいる。
また、少なくとも１つの表示針（第１の表示針）が、回転を停止する工程と、その後、秒針（第２の表示針）が初めに停止せず回転を継続したと仮定した場合にあるであろう所定位置に、秒針（第２の表示針）が到達するまで、所定速度である第１の速度よりも速い速度で、秒針（第２の表示針）が回転する工程を含んでいる。
そして、更に、秒針（第２の表示針）を、所定速度である第１の速度で、表示盤の表面、すなわち、表示盤の表面の中央付近、あるいは、それ以外のいずれかを回転中心として回転させる工程と、を含む経過時間表示方法である。
なお、本発明の別の好ましい実施形態は、上記の経過時間表示方法を実施するためのリスト装着装置である。
【００１２】
加えて、本発明の更に別の好ましい実施形態は、リスト装着装置の表示盤上に経過時間を表示する経過時間表示方法に関するものであり、リスト装着装置が、表示盤と、経過時間を表示する回転可能な少なくとも１つの表示針（第１の表示針）と、所定時刻（ＴＯＤ）における経過時間を表示する回転可能な秒針（第２の表示針）と、を備えている。
また、少なくとも１つの表示針は、開始及び停止を含む回転が可能であり、第１のモードとして、秒針は、表示盤の表面で、所定速度である第１の速度で回転する。
そして、かかる経過時間表示方法は、少なくとも１つの表示針の回転を開始する工程と、秒針の回転を、秒針及び少なくとも１つの表示針の位置が一致するまで、第１の速度よりも速い速度に加速して進め、その後、秒針の回転速度を、所定速度である第１の速度に戻す工程と、を有している。
同様に、かかる経過時間表示方法は、秒針及び少なくとも１つの表示針が共に所定速度である第１の速度で回転し、あたかも１つの指針が存在し、それが回転するかのごとく見えるように、秒針の回転を継続する工程と、少なくとも１つの表示針の回転を停止する工程と、次いで、秒針が初めに加速されず回転を継続したと仮定した場合にあるであろう所定位置と、秒針の位置が一致するまで、秒針の回転を停止する工程と、を有している。
そして、その後、秒針を、第１の速度で、表示盤の表面、すなわち、表示盤の表面の中央付近、あるいは、それ以外のいずれかを回転中心として、回転させる工程と、を含む経過時間表示方法である。
なお、本発明の別の好ましい実施形態は、第１の好ましい実施形態と同様、上記の経過時間表示方法を実施するためのリスト装着装置である。
【００１３】
また、本発明の更に別の好ましい実施形態は、経過時間を表示盤に表示するリスト装着装置であって、経過時間を表示する回転可能な少なくとも１つの表示針（第１の表示針）と、所定時刻（ＴＯＤ）における経過秒を表示し、第１のモードとして、時刻（ＴＯＤ）における秒針回転速度で回転する秒針（第２の表示針）と、少なくとも１つの表示針の回転を開始及び停止させるスイッチング装置と、スイッチング装置と動作が連動するコントローラと、を備えている。
そして、コントローラが、少なくとも１つの表示針の回転を開始する機能と、秒針を、秒針及び少なくとも１つの表示針の位置が一致するまで、停止する機能と、秒針の回転を、秒針及び少なくとも１つの表示針が、共に時刻（ＴＯＤ）における秒針回転速度で回転し、あたかも１つの指針が存在し、それが回転するかのごとく見えるように、回転を開始する機能と、少なくとも１つの表示針の回転を停止する機能とを有している。
同様に、コントローラが、秒針が初めに停止せず回転を継続したと仮定した場合にあるであろう所定位置に、秒針が到達するまで、時刻（ＴＯＤ）における秒針回転速度よりも速い速度で、秒針を回転させる機能を有している。
そして、コントローラが、その後、秒針を、所定時刻（ＴＯＤ）における秒針回転速度で、表示盤の表面、すなわち、表示盤の表面の中央付近、あるいは、それ以外のいずれかを回転中心として、回転させる機能と、を有することを特徴とするリスト装着装置に関するものである。
【００１４】
また、本発明の更に別の好ましい実施形態は、経過時間を表示盤上に表示するリスト装着装置であって、経過時間を表示する回転可能な少なくとも１つの表示針（第１の表示針）と、所定時刻（ＴＯＤ）における経過秒を表示し、第１のモードにおいて、時刻（ＴＯＤ）における秒針回転速度で回転可能な秒針（第２の表示針）と、少なくとも１つの表示針の回転を開始及び停止させるスイッチング装置と、スイッチング装置と動作が連動するコントローラと、を備えている。
そして、コントローラが、少なくとも１つの表示針の回転を開始する機能と、秒針の回転を、少なくとも１つの表示針及び秒針の位置が一致するまで、時刻（ＴＯＤ）における秒針回転速度よりも速い速度に加速して進め、その後、秒針の回転速度を、時刻（ＴＯＤ）における回転速度に戻す機能を有している。
同様に、コントローラが、秒針の回転を、秒針及び少なくとも１つの表示針を共に第１の速度で回転させ、あたかも１つの指針が存在し、それが回転するかのごとく見えるようにする機能を有している。
同様に、コントローラが、少なくとも１つの表示針の回転を停止する機能を有しており、そして、秒針が初めに加速されず回転を継続したと仮定した場合にあるであろう所定位置と、秒針の位置が一致するまで、秒針の回転を停止する機能を有している。
そして、コントローラが、その後、秒針を、時刻（ＴＯＤ）における秒針回転速度で表示盤の表面、すなわち、表示盤の表面の中央付近、あるいは、それ以外のいずれかを回転中心として、回転させる機能と、を有することを特徴とするリスト装着装置に関するものである。
なお、以上の好ましい実施形態においては、リスト装着装置は、たとえばクロノグラフのような時計であるが、例示であって何ら限定されるものではない。
【図面の簡単な説明】
【００１５】
【図１】図１（ａ）〜（ｅ）は、本発明の好ましい実施形態における、好ましいシーケンスのステップ方法に基づく集合ステップとして示される、好ましいステップの説明に供する図である。  すなわち、図１（ａ）は、リスト装着装置１０における通常の「駆動（ｒｕｎ）」モードでの動作状態を示している。  また、図１（ｂ）は、図１（ａ）に示す状態からおよそ５秒後であって、第１の表示針としてのクロノ針３０が回転しており、秒針３５が停止した状態を示している。  また、図１（ｃ）は、クロノ針３０が、秒針３５に到達し、位置が一致した状態を示している。  また、図１（ｄ）は、クロノ針３０及び秒針３５が、位置が一致した状態で共に回転している状態を示している。  更に、図１（ｅ）は、クロノ針３０がホーム位置（たとえば、１２時の位置）に戻り、秒針３５の回転速度が所定速度である第１の速度よりも速い速度に加速された後に、再度、時刻（ＴＯＤ）における秒針回転速度に戻った状態を示している。
【図２】図２（ａ）〜（ｆ）は、本発明の別の好ましい実施形態における好ましいシーケンスのステップ方法に基づく集合ステップとして示される、別の好ましいステップの説明に供する図である。  すなわち、図２（ａ）は、リスト装着装置１０における通常の駆動モードでの動作状態を示している。  また、図２（ｂ）は、クロノ針３０が回転し、秒針３５が、所定速度である第１の速度よりも速い速度で駆動している状態を示している。  また、図２（ｃ）は、秒針３５が、クロノ針３０に到達し、位置が一致した状態を示している。  また、図２（ｄ）、はクロノ針３０及び秒針３５が、位置が一致した状態で共に回転している状態を示している。  また、図２（ｅ）は、クロノ針３０及び秒針３５が図２（ｄ）に示される状態からおよそ５秒共に回転し、その後、クロノ針３０が、ホーム位置（たとえば、１２時の位置）に戻り、秒針３５が、正確な時刻の秒を表示するまで停止している状態を示している。  また、図２（ｆ）は、図２（ｅ）に示される状態から所定時間の経過後であって、秒針３５が、時刻（ＴＯＤ）における秒針回転速度で回転している状態を示している。
【図３】図３（ａ）〜（ｆ）は、本発明の更に別の好ましい実施形態における、好ましいシーケンスのステップ方法に基づく集合ステップとして示される、更に別の好ましいステップの説明に供する図である。  すなわち、図３（ａ）は、リスト装着装置１０における通常の「駆動（ｒｕｎ）」モードでの動作状態を示している。  また、図３（ｂ）は、図３（ａ）からおよそ５秒後であって、クロノ針３０が回転しており、秒針３５が停止した状態を示している。  また、図３（ｃ）は、クロノ針３０が、秒針３５に到達し、位置が一致した状態を示している。  また、図３（ｄ）は、クロノ針３０及び秒針３５が、位置が一致した状態で共に回転している状態を示している。  また、図３（ｅ）は、クロノ針３０及び秒針３５が、図３（ｄ）に示される状態からおよそ６秒共に回転し、その後、クロノ針３０がホーム位置（たとえば、１２時の位置）に戻り、秒針３５は、正確な時刻の秒を表示するまで停止している状態を示している。  更に、図３（ｆ）は、図３（ｅ）に示される状態から所定時間の経過後であって、秒針３５が、時刻（ＴＯＤ）における秒針回転速度で回転している状態を示している。
【図４】図４（ａ）〜（ｆ）は、本発明の更に別の好ましい実施形態における、好ましいシーケンスのステップ方法に基づく集合ステップとして示される、更に別の好ましいステップの説明に供する図である。  すなわち、図４（ａ）は、リスト装着装置１０における通常の駆動モードでの動作状態を示している。  また、図４（ｂ）は、クロノ針３０が回転し、秒針３５が所定速度である第１の速度よりも速い速度で駆動している状態を示している。  また、図４（ｃ）は、秒針３５がクロノ針３０に到達し、位置が一致した状態を示している。  また、図４（ｄ）は、クロノ針３０及び秒針３５が、位置が一致した状態で共に回転している状態を示している。  また、図４（ｅ）は、クロノ針３０が、ホーム位置（たとえば、１２時の位置）に戻り、秒針３５が、所定速度である第１の速度よりも速い速度で回転している状態を示している。  更にまた、図４（ｆ）は、図４（ｅ）から所定時間の経過後であって、秒針３５が、時刻（ＴＯＤ）における秒針回転速度で回転している状態を示している。
【図５】図５は、本発明の別の好ましい実施形態に従って構成されたリスト装着装置の分解図である。
【図６】図６は、図５に示されるリスト装着装置の駆動部の透視図である。
【図７】図７は、本発明の目的達成と利点の観点で、好ましい実施形態に基づいて構成されたコントローラのブロック図である。
【発明を実施するための形態】
【００１６】
以下、上述した本発明の特徴や、それ以外の特徴につき、明細書の好ましい実施形態に記載してあるが、適宜、上記図面を参照しながら説明する。
但し、各図面において、同様の部材又は部位には同様の参照番号（符号）を用いている一方、各図面のすべての部材又は部位に参照番号（符号）を付しているわけではない点に留意すべきである。
【００１７】
本発明の好ましい実施形態の完全な開示のために、以下の内容に関連して図１〜図７が参照される。
ここで、本発明の好ましい実施形態は４つの方法を考慮しており、第１の方法は図１（ａ）〜（ｅ）（これらを総括して図１と称する場合がある。）、第２の方法は図２（ａ）〜（ｆ）（これらを総括して図２と称する場合がある。）、第３の方法は図３（ａ）〜（ｆ）（これらを総括して図３と称する場合がある。）、第４の方法は図４（ａ）〜（ｆ）（これらを総括して図４と称する場合がある。）にそれぞれ示される。
【００１８】
しかしながら、まず、全体的な開示として符号１０に示される、本発明の好ましい実施形態において構成されるリスト装着装置は、符号２０で示されるダイアルを含む表示部と、秒の時間経過の境界を含むが、電子インクや液晶タイプの表示のように金属やマイラー（ポリエステル樹脂フィルム）のダイアルが必要とされないものから理解するように、ダイアルは必ずしも必須ではない。
また、秒の経過に関連して、秒の経過や境界はいずれも可視であるとしているが、当分野から理解されるように、時間の経過を表示するための表示部は、様々な方法でなされ、それらはいずれも本発明の範囲に含まれる。
たとえば、時間の表示及び／又は時間の経過に関し、１／１０秒又は１／５秒はもちろん、その他の時間での時間間隔であっても、本発明の範囲内に含まれる。
【００１９】
そして、本発明の好ましい実施形態において、本発明の目的を達成するために必須とされる針は、基本的に、第１の表示針（たとえば、クロノ針）及び第２の表示針（たとえば、秒針）である。
まず、この第１の表示針に関して、時間の経過を表示するための回転可能な少なくとも１つの表示針として、クロノ針３０が参照される。
上述したように、好ましい実施形態においては、そのような時間の経過は秒であるが、他の時間間隔（たとえば、１／１０秒又は１／５秒、もしくは更に長い時間）も、本発明の範囲内に含まれる。
また、便宜上、少なくとも１つの表示針である第１の表示針は、後述するクロノ針３０を含む同様部材であって、同じ番号で言及される場合がある。
次いで、第２の表示針に関して、時刻（ＴＯＤ）における経過秒といった経過時間を表示するための、回転可能な指針としての秒針３５が参照される。
同様に、好ましい実施形態において、時間の経過は秒であるが、他の時間間隔（たとえば、１／１０秒又は１／５秒もしくは更に長い時間）も、本発明の範囲内に含まれる。
また、便宜上、かかる指針としての秒針３５は、同番号を付して、単に、秒針と言及される場合がある。
そして、リスト装着装置１０は、好ましくは、時計であり、そして、かかるリスト装着装置１０は、好ましくは、分針４０及び時針４５を含み、それらは以下において詳述されるように、ステッパー・モータ及び歯車列によって駆動されるが、それらの構成については、当業者であれば容易に理解できることである。
【００２０】
ここで、図１及び図３を参照して、表示針としてのクロノ針３０の駆動開始により、クロノ針３０の位置と、一致するまで、指針としての秒針３５が停止する場合の好ましい方法について、その概要を説明する。
すなわち、秒針３５の停止により、位置が一致した状態のクロノ針３０及び秒針３５は、好ましくは、一方の指針としての秒針３５が、もう一方のクロノ針３０の下方となった状態で、共に駆動する。
そして、クロノ針３０が駆動し続ける間は、あたかも１つの指針としての秒針３５のみが回転して時間経過を示しているかのように視認される（図１（ｃ）〜（ｄ）及び図３（ｃ）〜（ｄ））。
次いで、クロノ針３０が停止し、初期状態にされるが、その場合、クロノ針３０は、ホーム位置に戻ってもよい（図１（ｅ）及び図３（ｅ））。
そして、クロノ針３０の停止後、秒針３５は、クロノ針の停止と同時に停止し、その位置が、正確な位置に一致するまで、そのまま停止するか（図３）、または、正確な位置に到達するまで、加速された回転速度で駆動する（図１）。
この場合において、正確な位置とは、秒針３５が初めに停止せずに回転を継続したと仮定した場合にあるであろう位置を意味する。
したがって、正確な位置に一致するまで停止するとは、秒針３５が正確な時刻を示す状態となるまで停止することを意味する。
その後、秒針３５は、適切な速度で駆動し、時刻における適切な秒を表示する（図１（ｅ）及び図３（ｆ））。
【００２１】
また、図２及び図４を参照して、クロノ針３０の駆動開始により、クロノ針３０の位置と、一致するまで、秒針３５の回転が加速する場合の好ましい方法について、その概要を説明する。
すなわち、秒針３５の回転の加速（図２（ｂ）及び図４（ｂ））により、位置が一致したクロノ針３０及び秒針３５（図２（ｃ）及び図４（ｃ））は、好ましくは、一方の指針としての秒針３５が、もう一方のクロノ針３０の下方となる状態となって、共に駆動する。
そして、クロノ針３０が、駆動し続ける間は、あたかも１つの指針のみが回転して時間経過を示しているかのように視認される（図２（ｄ）及び図４（ｄ））。
次いで、クロノ針３０が停止し、所望により、ホーム位置に戻ってもよい（図２（ｅ）及び図４（ｅ））。
そして、クロノ針３０の停止後、秒針３５は、クロノ針の停止と同時に停止し、その位置が、正確な位置に一致するまで、そのまま停止するか（図２）、または、正確な位置に到達するまで、再度、加速された回転速度で駆動する（図４）。
この場合において、正確な位置とは、秒針３５が初めに加速されず回転を継続したと仮定した場合にあるであろう所定位置を意味する。
したがって、正確な位置に一致するまで停止するとは、実際の時刻における秒が、秒針３５が示す時刻に「追いつく」まで、秒針３５がそのまま停止することを意味する。
そして、停止又は加速により、秒針３５が、正確な位置に到った後は、秒針３５は、適切な速度で駆動し、時刻における適切な秒を表示する（図２（ｆ）及び図４（ｆ））。
【００２２】
このように、本発明によって４つの異なる有効な方法が達成可能であることが理解される。
すなわち、まず、図１に示されるように、クロノ針３０の回転開始後、クロノ針３０及び秒針３５の位置が一致するまで、秒針３５が、その回転を停止する場合の方法である。
この場合、上述したように、クロノ針３０が停止した後、秒針３５は、（ｉ）停止されるか、（ｉｉ）加速される。
しかしながら、秒針３５が２回停止する実施形態、すなわち（ｉ）の場合においては、正確な時刻の表示は、秒針３５が、直接分針４０及び時針４５に歯車で接続されていない場合に、維持される。
すなわち、この例において、秒針３５が、分針４０及び時針４５に接続されている場合には、秒針３５の２回の回転停止により、分針４０及び時針４５が実際の時間よりも最大１分遅れた時刻を表示することとなるためである。
【００２３】
また、同様に、図２には、クロノ針３０の回転開始後、クロノ針３０と秒針３５の位置が一致するまで、秒針３５の回転が加速する場合の方法が示される。
この場合、上述したように、クロノ針３０が停止した後、秒針３５は、（ｉ）正確な位置に戻るように再度加速されるか、（ｉｉ）停止される。
よって、同様に、秒針３５が２回加速される実施形態、すなわち（ｉ）の場合においては、正確な時刻の表示は、秒針３５が、直接分針４０及び時針４５に接続されてない場合に、維持される。
すなわち、この例において、秒針３５が、分針４０及び時針４５に接続されている場合には、秒針３５の２回の加速により、分針４０及び時針４５が実際の時間よりも最大１分進んだ時刻を表示することとなるためである。
【００２４】
ここで、まず、秒針３５が、分針４０と時針４５に歯車接続され、分針４０及び時針４５の回転が、秒針３５の回転に依存している場合の好ましい実施形態の実施例を説明するため、再度、図１及び図２を参照する。
なお、秒針３５が、分針４０及び時針４５に、歯車接続されてない場合の技術内容についても、本明細書において詳細が記載されているものとし、本発明に含めるものとする。
【００２５】
まず、図１に示される実施形態の概要は、経過時間を表示するための少なくとも１つの回転可能な表示針としての、クロノ針３０と、時刻（ＴＯＤ）における経過時間（たとえば、秒）を表示するための回転可能な秒針３５によって、リスト装着装置１０の表示盤２０の上に、経過時間が表示されることである。
そして、少なくとも１つの表示針であるクロノ針３０は、たとえばプッシャー又は作動スイッチによって、上述したとおり、開始及び停止により回転が可能である。
また、通常の駆動モード（たとえば、「第１のモード」）において、秒針３５は、表示盤における中心軸の周りを、所定速度である第１の速度で回転する。
なお、第１の速度は、好ましい実施形態において、時刻（ＴＯＤ）を表示する場合における秒針の回転速度（たとえば、１分あたり１回転、すなわち１ｒｐｍ）である。
また、時刻（ＴＯＤ）を表示する場合における秒針の回転速度を、単に、時刻（ＴＯＤ）における秒針回転速度と称する場合がある。
【００２６】
ここで、図１を参照し、本発明における好ましい経過時間表示方法を説明する。
すなわち、本発明における好ましい経過時間表示方法は、使用者が、時間測定モード、たとえば、クロノグラフモードとした場合に、少なくとも１つの表示針であるクロノ針３０の回転を開始する工程（図１（ｂ））と、次いで、秒針３５およびクロノ針３０が、少なくとも実質的に一致するまで、秒針３５の回転を停止する工程（図１（ｃ））を含んでいる。
すなわち、図１（ａ）は、通常の駆動（ｒｕｎ）モードにおけるリスト装着装置１０の動作状態を示している。
そして、図１（ｂ）は、通常の駆動モードにおいて、図１（ａ）の状態から、秒針３５が３秒進んだ状態であって、使用者が時間測定モードに変更し、少なくとも１つの表示針であるクロノ針３０の回転が開始し、秒針３５の回転が停止した状態を示している。
なお、「一致」とは、実質的には、それぞれが上方又は下方に位置するが、表示盤上における少なくとも１つの表示針、すなわち、第１の表示針であるクロノ針３０及び秒針（第２の表示針）３５の、相対的な回転位置が同じであることを意味する。
また、クロノグラフモードにおいて、少なくとも１つの表示針であるクロノ針３０は、所定速度である第１の速度、すなわち、好ましくは、１分間に１回転の速度（１ｒｐｍ）で回転する。
そして、秒針３５及び少なくとも１つの表示針であるクロノ針３０の位置が一致した後は、再度、秒針３５の回転が開始し、秒針３５及びクロノ針３０が少なくとも実質的に一致している状態を維持するように、それぞれの表示針が、所定速度である第１の速度、たとえば、時刻（ＴＯＤ）における秒針回転速度（たとえば、１ｒｐｍ）で共に回転する（図１（ｄ））。
更に、任意の時点において、使用者は、少なくとも１つの表示針であるクロノ針３０を停止することができる。
また、クロノ針３０の停止後、必須ではないものの、クロノ針３０がホーム位置（たとえば、図１（ｅ）に示される１２時の位置）に戻ることも好ましい。
いずれにしても、より重要なことは、この好ましい実施形態に関しては、その後、所定位置に到達するまで、所定速度である第１の速度よりも速い速度、たとえば、時刻における秒針回転速度よりも速い速度で、秒針３５が回転することである。
この場合において、所定位置とは、秒針３５が初めに停止せず回転を継続したと仮定した場合にあるであろう位置を意味する。
また、所定位置に「正しく合わせる」場合の、秒針の位置は、図１（ｅ）に示されている。
この場合、当業者は、所定速度である第１の速度よりも速い速度を容易に選択できる。
したがって、何ら制限されるものではないが、たとえば、１６ｒｐｍ又は３２ｒｐｍもしくはそれ以上の速度とすることができる。
これは、熟練した装置設計者であれば検討することが可能である、あるべき位置への好ましい、又は許容できる到達時間や、電池やギヤ比の制限に基づくものである。
そして、秒針３５の伝動装置が、分針４０の伝動装置及び時針４５の伝動装置に接続されている実施形態においては、秒針３５の回転の加速により、分針４０及び時針４５も、それぞれ正確な時刻を示す位置に到達するように加速されることも理解される。
【００２７】
次いで、図２を再び参照し、図２に示される実施形態の概要を説明する。
すなわち、図１と同様に、経過時間を表示するための回転可能な表示針である、クロノ針３０と、時刻（ＴＯＤ）における経過時間（たとえば、秒）を表示するための回転可能な秒針３５によって、リスト装着装置１０の表示盤２０の上に、経過時間が表示されることである。
また、同様に、少なくとも１つの表示針としてのクロノ針３０は、上述したいずれの経過時間表示方法においても、開始及び停止動作を含み、回転動作が可能である。
そして、この実施形態においても、第１のモードとしての、通常の駆動モードにおいて、秒針３５は、所定速度である第１の速度で回転するが、第１の速度は、必須ではないものの、時刻（ＴＯＤ）における秒針回転速度（たとえば、１ｒｐｍ）であることが好ましい（図２（ａ））。
【００２８】
ここにおいて、図２に示される経過時間表示方法は、クロノグラフモードが開始した場合に、少なくとも１つの表示針の回転を開始する工程（図２（ｂ））と、次いで、秒針３５の回転を、秒針３５と少なくとも１つの表示針であるクロノ針３０の位置が少なくとも実質的に一致するまで、所定速度である第１の速度、たとえば、時刻（ＴＯＤ）における秒針回転速度よりも、速い速度に加速して、進める工程（図２（ｃ）を含んでいる。
そして、秒針３５は、その後、時刻（ＴＯＤ）における秒針回転速度での回転に戻り、表示盤の表面で回転する。
この場合において、秒針３５の回転が継続することで、秒針３５及び少なくとも１つの表示針であるクロノ針３０が、それぞれ時刻における秒針回転速度で共に回転することになる。
したがって、秒針３５及び少なくとも１つの表示針であるクロノ針３０が、少なくとも実質的に一致している状態が維持される（図２（ｄ））。
なお、繰り返しとなるが、この場合においても、「一致」とは、表示盤上における少なくとも１つの表示針としてのクロノ針３０及び秒針３５の、相対的な回転位置が同じであることを意味する。
更に、上述した実施形態と同様に、任意の時点において、使用者は、少なくとも１つの表示針である、クロノ針３０の回転を停止することができる。
また、同様に、かかるクロノ針３０の停止後、必須ではないものの、クロノ針３０がホーム位置（たとえば、図２（ｅ）に示される１２時の位置）に戻ることも好ましい。
いずれにしても、より重要なことは、この好ましい実施形態に関しては、秒針３５が初めに加速されず回転を継続したと仮定した場合にあるであろう所定位置と、秒針３５の位置が一致するまで、秒針３５の回転を停止することである。
すなわち、所定位置とは、秒針３５が初めに加速されずに回転を継続したと仮定した場合の位置であって、正確な時刻における秒を示す位置である。
よって、正確な時刻における秒を示す位置と一致するまで、秒針３５はそのまま停止する（図２（ｅ））。
そして、かかる位置と一致した後、秒針３５は、再度、表示盤２０の所定箇所を中心に、所定速度である第１の速度（たとえば、時刻（ＴＯＤ）における秒針回転速度）で回転を開始し、リスト装着装置１０は、通常の駆動モードに戻る（図２（ｆ））。
なお、上述したすべての例において、少なくとも１つの表示針としてのクロノ針３０が、ホーム位置に、所定時刻（ＴＯＤ）における秒針回転速度よりも、速い速度で戻ることも可能であることは、当業者であれば理解できることである。
【００２９】
また、以下に記載されるように、コントローラが、正確な時刻における秒を表示するために、秒針が位置すべき位置を制御可能であることは、すべての実施例において重要である。
すなわち、コントローラは、加速又は他の方法に関わらず、クロノグラフモードの停止後、秒針３５が戻らなければならない位置を維持し、それを「知って」いなければならない。
【００３０】
なお、繰り返しとなるが、この実施形態においても、当業者は、所定速度である第１の速度よりも速い速度を容易に選択でき、たとえば、何ら制限されるものではないが、１６ｒｐｍ又は３２ｒｐｍもしくはそれ以上の速度とすることができる。
これは、熟練した装置設計者であれば検討することが可能である、あるべき位置への好ましい、又は許容できる到達時間や、電池やギヤ比の制限に基づくものである。
また、この方法においては、秒針３５の回転を停止することにより、分針４０と時針４５も、正確な時刻が表示されるまで停止することが理解できる。
そして、正確な時間が表示される位置に至った後、秒針３５は、所定速度である第１の回転速度（たとえば、時刻（ＴＯＤ）における秒針回転速度）に戻り、回転する。
【００３１】
以上の説明から、秒針３５の伝動装置が、分針４０の伝動装置及び時針４５の伝動装置に接続される実施形態における好ましい経過時間表示方法が開示されているといえる。
【００３２】
一方、秒針３５の伝動装置が、分針４０の伝動装置及び時針４５の伝動装置と接続されておらず、連動しない実施例においては、異なる実施形態を実現することができる。
たとえば、図１の実施形態に対する代替の実施形態は、図３を参照して説明される。
すなわち、少なくとも１つの表示針である、クロノ針３０の回転が開始し（図３（ｂ））、秒針３５及びクロノ針３０が、少なくとも実質的に一致するまで、秒針３５が回転したのち、停止する（図３（ｃ））。
そして、秒針３５及びかかるクロノ針３０の位置が一致した後に、秒針３５が、その回転を開始することで、秒針３５及びかかるクロノ針３０が、所定速度である第１の速度で共に回転し、少なくとも実質的に一致している状態を維持する実施形態である（図３（ｄ））。
また、少なくとも１つの表示針である、クロノ針３０が停止した後、再度、秒針３５が停止し、所定位置に一致するまで停止し続けることが、図１の実施形態に対する代替としての、図３に示される他の好ましい実施形態の特徴である。
すなわち、この場合における所定位置とは、秒針３５が初めに停止せず回転を継続したと仮定した場合にあるであろう位置であり、正確な時刻における秒を示す位置を意味する。
よって、クロノ針３０の停止後、再度、停止した秒針３５は、正確な時刻における秒を示す位置と一致するまで、そのまま停止し続ける（図３（ｅ））。
そして、秒針３５は、かかる所定位置と一致した後、所定速度である第１の速度で表示盤上の所定箇所を中心として、回転する（図３（ｆ））。
また、図３の実施形態においては、時刻の分針４０及び時針４５に使用できる独立したステッパー・モータによって、分針４０及び時針４５が、秒針３５及び／又は表示針である、クロノ針３０の動作に関係なく、常に正確に駆動し続けることが可能である。
たとえば、図３（ｂ）及び図３（ｃ）を比較した場合、秒針３５が回転してしないにも関わらず、分針４０が明らかに進行していることに注意すべきである。
【００３３】
また、図２の実施形態に対する代替の実施形態は、図４を参照して説明される。
すなわち、少なくとも１つの表示針である、クロノ針３０の回転の開始後、秒針３５及びかかるクロノ針３０が、少なくとも実質的に一致するまで（図４（ｃ））、秒針３５を、所定速度である第１の速度よりも、速い速度で、回転を進める（図４（ｂ））。
次いで、秒針３５を、所定速度である第１の速度（たとえば、時刻（ＴＯＤ）における秒針回転速度）での回転に戻し、秒針３５及びかかるクロノ針３０が、所定の第１の速度で共に回転し、少なくとも実質的に一致している状態を維持（図４（ｄ））する実施形態である。
そして、少なくとも１つの表示針である、クロノ針３０が停止した後に、秒針３５が、所定位置に到達するまで、再度、所定速度である第１の回転速度よりも速い速度で回転する（図４（ｅ））ことが、図２の実施形態に対する代替としての、図４に示される他の好ましい実施形態の特徴である。
すなわち、この場合における所定位置とは、秒針３５が初めに加速されず回転を継続したと仮定した場合にあるであろう位置であり、正確な時刻における秒を示す位置を意味する。
よって、クロノ針３０の停止後、秒針３５は、正確な時刻における秒を示す位置と一致するまで、再度、加速した回転速度で回転する（図４（ｅ））。
そして、秒針３５は、かかる所定位置に到達した後、所定速度である第１の速度で、表示盤の表面で回転する（図４（ｆ））。
【００３４】
ここにおいて、同様に、図４の実施形態においては、時刻の分針４０及び時針４５に使用できる独立したステッパー・モータによって、分針４０及び時針４５が、秒針３５及び／又はクロノ針３０の動作に関係なく、常に正確に駆動し続けることが可能である。
たとえば、図４に示される図を比較した場合、秒針３５の回転の加速の有無に関わらず、分針４０は、加速の必要なく、通常かつ正確な回転が可能であることに注意すべきである。
【００３５】
なお、本明細書において開示されるすべての例において、所定速度である第１の速度は、時刻（ＴＯＤ）における秒針回転速度（たとえば、１ｒｐｍ）であることが好ましい。
【００３６】
また、本発明は、上述した方法を実行することで、上述した目的を達成し、利点を有するリスト装着装置の構造に関するものでもある。
したがって、本発明は、図５〜図７に示されるリスト装着装置及び要素に関する発明でもある。
【００３７】
すなわち、リスト装着装置１０は、すべて上述されたように、表示盤２０上に経過時間を表示するものであり、経過時間を表示するための回転可能な少なくとも１つの表示針、たとえば、クロノ針（第１の表示針）３０と、時刻における表示時間（たとえば、秒）を表示するための回転可能な秒針（第２の表示針）３５と、を含む。
ここで、たとえば、本発明に関連して構成された、コントローラ１００のブロック図である図７を、追加して開示することができる。
すなわち、図７には、少なくとも１つの表示針である、クロノ針３０の回転を、開始及び停止するためのスイッチング装置としての、複数のスイッチＳ１〜Ｓ５が示される。
そして、スイッチＳ１〜Ｓ５は、一般的に、側面及び上面に配置され、作動（たとえば、引張及び／又は押圧）に応じるプッシャー（押圧部）を示すことが意図されている。
なお、他のタイプのスイッチであって、回転するクラウン（頂部）等は、ここにおいて同様に考慮される。
また、同様に、単一のスイッチを、少なくとも１つの表示針である、クロノ針３０の回転の開始及び停止の両方に使用する場合や、異なる複数のスイッチを、それぞれ開始及び停止に使用する場合が検討され、実現可能であることは、すべて、当業者であれば理解できることである。
なお、プッシャーその他の作動部の詳細は、本発明の重要な要素ではないことから、簡潔のため、開示は省略する。
【００３８】
そして、コントローラ１００に関して、本発明の重要な要素ではない内容の詳細については、米国特許第７，１１３，４５０号に記載されており、その主題は、本明細書に含まれるものとして参照される。
また、本発明の好ましい実施形態に関して、コントローラ１００は、スイッチング装置に接続され、動作が連動しており、以下の機能を提供する。
すなわち、コントローラ１００は、少なくとも１つの表示針である、たとえば、クロノ針３０の回転を開始する機能を有している。
また、同様に、秒針３５（第２の表示針）が、少なくとも１つの表示針（第１の表示針）である、クロノ針３０と、少なくとも実質的に一致するまで、秒針３５の回転を停止する機能を有している。
また、同様に、秒針３５の回転を開始することで、秒針３５及び少なくとも１つの表示針である、クロノ針３０を、共に時刻（ＴＯＤ）における秒針回転速度で回転させ、少なくとも実質的に一致する状態を維持する機能を有している。
また、同様に、少なくとも１つの表示針である、クロノ針３０の回転を停止させる機能を有している。
同様に、秒針３５が初めに停止せず回転を継続したと仮定した場合にあるであろう所定位置に、秒針３５が到達するまで、時刻（ＴＯＤ）における秒針回転速度よりも速い速度で、秒針３５を回転させる機能を有している。
更にまた、同様に、秒針３５を、時刻（ＴＯＤ）における秒針回転速度で、表示盤の表面で回転させる機能を有している。
【００３９】
また、図２に示される実施形態において、コントローラ１００は、スイッチング装置に接続され、動作が連動しており、所定機能を発揮することができる。
すなわち、コントローラ１００は、少なくとも１つの表示針である、クロノ針３０の回転を開始する機能を有している。
同様に、秒針３５が、少なくとも１つの表示針である、クロノ針３０と、少なくとも実質的に一致するまで、秒針３５を、時刻（ＴＯＤ）における秒針回転速度よりも速い速度に加速して回転させる機能を有している。
同様に、秒針３５の回転速度を、時刻（ＴＯＤ）における秒針回転速度に戻す機能を有している。
同様に、秒針３５の回転を継続し、秒針３５及び少なくとも１つの表示針である、たとえば、クロノ針３０を、共に時刻（ＴＯＤ）における秒針回転速度で回転させ、少なくとも実質的に一致する状態を維持する機能を有している。
同様に、少なくとも１つの表示針である、たとえば、クロノ針３０の回転を停止する機能を有している。
同様に、秒針３５が初めに加速されず回転を継続したと仮定した場合にあるであろう所定位置と、秒針３５の位置が一致するまで、秒針３５の回転をそのまま停止する機能を有している。
同様に、秒針３５を、時刻（ＴＯＤ）における秒針回転速度で、表示盤の表面で回転させる機能を有している。
すなわち、本明細書に開示されるリスト装着装置におけるコントローラ１００等は、所定の機能を発揮して、上述された経過時間表示方法を実行するものである。
【００４０】
更に、リスト装着装置１０に関する上述した実施形態においては、秒針３５の伝動装置が、分針４０の伝動装置及び時針４５の伝道装置と接続し、連動していることも好ましい。
【００４１】
また、本発明は、秒針３５が、分針４０の伝動装置及び時針４５の伝動装置と接続し、連動する必要がない実施形態として、以下の内容を考慮する。
すなわち、ａ）少なくとも１つの表示針の回転を開始し、秒針３５及び少なくとも１つの表示針が少なくとも実質的に一致するまで、秒針３５の回転を停止し、そして、秒針３５及び少なくとも１つの表示針が一致している状態を維持しつつ、共に所定速度である第１の速度で回転させるために、秒針３５の回転を再度開始した後において、更に、スイッチング機構の作動による、少なくとも１つの表示針である、たとえば、クロノ針３０の回転の停止後に、コントローラ１００が、秒針３５が初めに停止せず回転を継続したと仮定した場合にあるであろう所定位置に、秒針３５が到達するまで、再度、秒針３５の回転を停止し、その後、コントローラ１００が、秒針３５を、所定速度である第１の速度で、表示盤の表面で再度回転させることも、本発明の別の好ましい実施形態である。
加えて、ｂ）少なくとも１つの表示針である、たとえば、クロノ針３０の回転を開始し、秒針３５及びかかるクロノ針３０が少なくとも実質的に一致するまで、秒針３５の回転を、所定の第１の速度よりも速い速度に加速して進める。
そして、秒針３５及び少なくとも１つの表示針が一致している状態を維持しつつ、共に所定速度である第１の速度で回転させるために、秒針３５を、所定速度である第１の速度（たとえば、時刻（ＴＯＤ）における秒針回転速度）で表示盤上を回転するように戻した後において、更に、スイッチング機構の作動による少なくとも１つの表示針である、たとえば、クロノ針３０の回転の停止後に、コントローラ１００が、すべて上述されたように、秒針３５が初めに加速されず回転を継続したと仮定した場合にあるであろう所定位置に到達するまで、再度、秒針３５を、所定速度である第１の速度よりも速い速度で回転させる。
その後、コントローラ１００が、秒針３５を、所定速度である第１の速度で、表示盤の表面で回転するように戻すことも、本発明の別の好ましい実施形態である。
なお、繰り返しとなるが、所定の第１の速度は、時刻（ＴＯＤ）における秒針回転速度、すなわち、１ｒｐｍであることが好ましく、第１の速度よりも速い速度とは、たとえば、１６ｒｐｍ又は３２ｒｐｍ、もしくはそれ以上の速度が好ましい。
【００４２】
また、本発明の完全な開示のため、図５を参照し、本発明に従って構成されたリスト装着装置１０の分解立体図を説明する。
ここで、かかるリスト装着装置１０の好ましい態様は、腕時計などの時計である。
また、図５及び図６は、上述したとおり、通常動作中、秒針３５、分針４０及び時針４５の動作が連動している好ましい実施形態を示しており、この場合は、分針４０及び時針４５をそれぞれ回転させるために秒針３５の回転が必要となる。
そして、図５には、クロノ針３０が示されている。
また、上記秒針３５、分針４０、時針４５及びクロノ針３０に関連する伝動装置とモータは、図５及び図６に示される。
特に、モータＭ１は、秒針３５、分針４０及び時針４５を回転させるために備えられており、モータＭ２は、クロノ針３０を回転させるために備えられている。
また、複数の歯車は、それぞれ関連しており、図６に一般的に示されているが、当業者であれば十分に、それらの構成が理解できるものである。
すなわち、モータＭ１は、一方向のステッパー・モータであり、一方、モータＭ２は双方向のステッパー・モータであって、両方向に回転できることが好ましい。
そして、モータＭ３は、図６において点線で表示されており、秒針３５が、分針４０及び時針４５に接続されていない場合に実装されることは、当業者であれば理解できる内容である。
【００４３】
図７は、一般的なコントローラ１００を示しており、好ましくは、特に、時計のような電子装置に使用されるマイクロコントローラである。
そして、好ましい実施形態では、コントローラ１００は、ＡＬＵ、計算レジスタ、スタックポインタ、インストラクション・レジスタ、インストラクション・デコーダを有するコアプロセッサであるＣＰＵ１０１を有している。
また、コントローラ１００は、当業者であれば理解できるように、モーターハンド制御回路１０９と、インプット／アウトプットコントロール回路１１０と、の間を通信するために、メモリマップＩ／Ｏバスを利用することができる。
そして、メモリブロックであるＲＯＭ１０２は、アドレス・エンコーダ１０３と併せ、電子装置制御ソフトウェア及び固定値へのアクセスを提供する。
また、当分野においては理解されるものであるが、ＣＰＵ１０１に、その後のモータ位置を追跡し、決定させるために必要なステップ及び論理は、ＲＯＭ１０２に符号化されている。
そして、モータードライバＭＤ１及びモータードライバＭＤ２を利用するモータＭ１及びＭ２の、それぞれの駆動及び制御は、それぞれ、当業者には良く知られており、最終的には、秒針３５が、分針４０及び時針４５に接続されていない実施形態においては、追加のモータードライバＭＤ３が説明され、モータＭ３を駆動するために利用される。
【００４４】
また、コントローラ１００の他の側面、すなわち、オシレータ（発振）回路１０６、分周器回路１０７、及び時間管理やモーターコントロール、データ取得機能のための適切なタイミングでの信号を生成するためのそれらの機能に関しては、当業者であれば理解できることである。
そして、モーターハンド制御回路１０９は、コアプロセッサであるＣＰＵ１０１から指令された「次のパルス数」を受け取り、パルス化され、フェイズ化された信号であって、望ましいモータ（たとえば、Ｍ１、Ｍ２）を望ましい量だけ、望ましい方向に動かすために必要な信号を生成する。
そして、モーターハンド制御回路１０９により出力されたパルスは、モータードライバによってバッファされ、それぞれのモータに適用される。
また、インプット／アウトプットコントロール回路１１０は、押圧ボタンをスイッチ、たとえば、スイッチング機構とし、その信号情報をＣＰＵ１０１に提供する。
なお、図７に他の特徴も示されるが、すべての特徴は、当業者にとって理解される内容である。
このように、本発明の好ましい実施形態を実行するために必要な機能の全ては開示される。
【００４５】
前述した内容や図から理解できるように、本発明は従来技術に対する改良点を提供する。
すなわち、本発明は、時計のようなリスト装着装置における経過時間の読み取りや解釈における誤認、間違い及び／又は混同する可能性を減少させるために改善された、経過時間表示方法及びリスト装着装置に関する構造である。
【００４６】
したがって、上述の記載によって明らかにされたとおり、上述した目的は効率的に達成されることが可能である。
また、上述の構成においては、意図や発明の範囲から逸脱することなく、一定の変更は可能であることから、上記で示され、説明されているすべての事柄は、一例として解釈されるべきであり、言うまでもなく、かかる記載内容によって何ら制限がなされるものではない。
【００４７】
また、請求の範囲の記載は、本明細書に記載された全ての包括的及びより具体的な構成と、本発明の範囲に関するすべての言及を包含している。
【図１】
0006389519.tif 000002
【図２】
0006389519.tif 000003
【図３】
0006389519.tif 000004
【図４】
0006389519.tif 000005
【図５】
0006389519.tif 000006
【図６】
0006389519.tif 000007
【図７】
0006389519.tif 000008